(57)【要約】【課題】ストッパをスライド操作時の衝撃を和らげると共に、損傷しにくいものとする。【解決手段】スライド機構１０にスライド方向に延びる一対のレール１４を有するベースプレートと、一対のレール１４に係合する一対の係合部１６を有し、第２の筐体に連結されるスライダ１５と、一対のレール１４のスライド方向端部に設けられた弾性体よりなるストッパ１７とを設ける。ストッパ１７をスライダ１５のスライド方向端部１５ａが最初に、他の部分よりも剛性の高い部分に当接するようにスライダ１５側へ膨出させる。【選択図】図１
2014022892.tif 000002
【特許請求の範囲】
【請求項１】
第１の筐体と第２の筐体とがスライド機構によって互いにスライド可能に連結された携帯端末において、
上記スライド機構は、
上記スライド方向に延びる一対のレールを有するベースプレートと、
上記一対のレールに係合する一対の係合部を有し、上記第２の筐体に連結されるスライダと、
上記一対のレールのスライド方向端部に設けられた弾性体よりなるストッパとを備え、
上記ストッパは、上記スライダのスライド方向端部が最初に、他の部分よりも剛性の高い部分に当接するようにスライダ側へ膨出している
ことを特徴とする携帯端末。
【請求項２】
請求項１に記載の携帯端末において、
上記スライダのスライド方向端部は、平坦面を有し、
上記ストッパは、上記スライド方向から垂直な方向から見て該最も肉厚が大きい部分に頂点がくる円弧状の断面を有する
ことを特徴とする携帯端末。
【発明の詳細な説明】
【技術分野】
【０００１】
本発明は、第１の筐体と第２の筐体とがスライド機構によって互いにスライド可能に連結された携帯端末に関し、特にスライド機構のストッパの構造に関する。
【背景技術】
【０００２】
従来より、この種の携帯端末は、例えば、特許文献１に示すように、第１の筐体の背面に一対のレールが設けられ、この一対のレールに第２の筐体の正面に設けたスライダの係合部が係合し、第１の筐体が第２の筐体に対してスライドするようになっている。一対のレールは、第１の筐体のステンレス鋼板よりなる板金プレートの左右に形成されている。そして、レールの上端に設けたストッパにスライダの上端が当接することで、スライド移動が停止されるようになっている。
【先行技術文献】
【特許文献】
【０００３】
【特許文献１】特開２００８−１６０２６１号公報
【発明の概要】
【発明が解決しようとする課題】
【０００４】
ストッパの材質には、スライダの衝突時の衝撃を和らげるためにエラストマなどの柔らかいものが使われている。このため、特に携帯端末を開いた状態で、この携帯端末を落下させると、そのときの衝撃でストッパが損傷するおそれがある。ストッパが損傷してしまうと、開き状態での第１の筐体の位置が左右でずれてしまうなどの問題が生じる。
【０００５】
本発明は、かかる点に鑑みてなされたものであり、その目的とするところは、ストッパの材質を固くすることなく、ストッパの損傷を確実に防ぐことにある。
【課題を解決するための手段】
【０００６】
上記の目的を達成するために、この発明では、スライダが最初にストッパに当たる位置を調整するようにした。
【０００７】
具体的には、第１の発明では、第１の筐体と第２の筐体とがスライド機構によって互いにスライド可能に連結された携帯端末を対象とする。
【０００８】
そして、上記スライド機構は、
上記スライド方向に延びる一対のレールを有するベースプレートと、
上記一対のレールに係合する一対の係合部を有し、上記第２の筐体に連結されるスライダと、
上記一対のレールのスライド方向端部に設けられた弾性体よりなるストッパとを備え、
上記ストッパは、上記スライダのスライド方向端部が最初に他の部分よりも剛性の高い部分に当接するように、スライダ側へ膨出している。
【０００９】
上記の構成によると、スライド移動の終端でスライダのスライド方向端部が弾性体よりなるストッパの最も剛性の高い部分に当接するようにしているので、開き状態で携帯端末を落下させたときにストッパに衝撃が伝わっても損傷しにくい。このため、ストッパを剛性の高い硬い材料に変更する必要はない。
【００１０】
第２の発明では、第１の発明において、
上記スライダのスライド方向端部は、平坦面を有し、
上記ストッパは、上記スライド方向から垂直な方向から見て該最も肉厚が大きい部分に頂点がくる円弧状の断面を有する。
【００１１】
上記の構成によると、簡単な構成で、部品サイズをほとんど大きくすることなくストッパの損傷を防ぐことができる。
【発明の効果】
【００１２】
以上説明したように、本発明によれば、スライダのスライド方向端部が最初に他の部分よりも剛性の高い部分に当接するように、一対のレールのスライド方向端部に設けた弾性体よりなるストッパをスライダ側へ膨出させたことにより、ストッパをスライド操作時の衝撃を和らげると共に、損傷しにくいものとすることができる。
【図面の簡単な説明】
【００１３】
【図１】ストッパ及びその周辺を拡大して示す斜視図である。
【図２】閉じた状態の携帯電話機を正面側から見た斜視図である。
【図３】閉じた状態の携帯電話機を背面側から見た斜視図である。
【図４】閉じた状態の携帯電話機を正面側から見た分解斜視図である。
【図５】閉じた状態の携帯電話機を背面側から見た分解斜視図である。
【図６】開いた状態の携帯電話機を正面側から見た斜視図である。
【図７】閉じ状態のスライダを含む第１の筐体を背面側から見た斜視図である。
【図８】ストッパが嵌め込まれたベースプレートを背面側から見た斜視図である。
【図９】図３のIX−IX線拡大断面図である。
【発明を実施するための形態】
【００１４】
以下、本発明の実施形態を図面に基づいて説明する。
【００１５】
図２〜図６は本発明の実施形態の携帯端末としての携帯電話機１を示し、この携帯電話機１は、表示部２を内蔵する第１の筐体３と、操作部７（図６のみ示す）を備える第２の筐体４とがスライド機構１０によって互いにスライド可能に連結され、図２及び図３に示す閉じ状態と、図６に示す開き状態とに切換可能に構成されている。第２の筐体４は、正面側キャビネット４ａと背面側キャビネット４ｂとで構成されている。背面側キャビネット４ｂの背面がリアカバー５で覆われている。
【００１６】
図９にも示すように、第１の筐体３は、アルミニウム合金よりなる板金プレート１１がインサート成形され、その板金プレート１１とその周縁の樹脂部分とで表示部２を収容する表示部収容部３ａが形成されている。そして、この板金プレート１１には、ビス５０及び両面テープ１２で、例えばマグネシウム合金の成型品よりなるベースプレート１３が固定されている。図８にも示すように、ベースプレート１３の左右端部には、上下に延びる一対のレール１４が突設されている。
【００１７】
そして、図７及び図９に示すように、一対のレール１４には、スライダ１５の左右に設けた上下に延びる一対の係合部１６が係合している。スライダ１５は、ステンレス鋼板などよりなり、係合部１６は、正面側にコ字状に折り曲げられて形成されている。係合部１６の内面には、耐摩耗性の高い樹脂成形品等よりなる摺動部材１６ａが嵌め込まれ、この摺動部材１６ａにレール１４が摺接するようになっている。図４及び図５に示すように、スライダ１５は、正面側キャビネット４ａに４本のビス５０で固定されている。一対のレール１４の上端には、スライダ１５の動きを止めるストッパ１７が設けられている。ストッパ１７は、ベースプレート１３を板金プレート１１に取り付ける際に利用するビス挿通孔１３ａ近傍の剛性の高い部分に配置されている。スライダ１５とベースプレート１３との間には、例えば両端がそれぞれ回転可能に結合されるようにＶ字状のバネ部材１９が設けられ、スライド操作を補助するようになっている。ストッパ１７は、緩衝材として機能し得るエラストマ、ゴムなどの比較的柔らかな弾性体よりなる。
【００１８】
そして、図１に拡大して示すように、一対のレール１４のスライド方向端部（すなわち、上端部）に設けられた弾性体よりなるストッパ１７を備えている。ストッパ１７は、スライダ１５側（下側）へ膨出する形状を有し、上方へ厚さ方向中央部１７ａが延びている。一方、スライダ１５のスライド方向端部１５ａは、その上端に平坦面を有する。そして、スライダ１５のスライド方向端部１５ａが最初に他の部分よりも剛性の高い部分（厚さ方向中央部１７ａ）に当接するように、ストッパ１７は、スライド方向から垂直な方向から見て最も肉厚が大きい厚さ方向中央部１７ａの中心線上又はその近傍に頂点Ｐがくる円弧状の断面を有する。
【００１９】
このように、スライド移動の終端でスライダ１５のスライド方向端部１５ａが弾性体よりなるストッパ１７の最も剛性の高い部分に当接するようにしているので、開き状態で携帯電話機１を落下させたときにストッパ１７に衝撃が伝わっても損傷しにくい。このため、ストッパ１７を剛性の高い硬い材料に変更する必要はないので、開き操作時のバネ部材１９の付勢力による衝撃が緩和される。
【００２０】
また、このように本発明特有のストッパ１７の形状を採用することにより、簡単な構成で、部品サイズをほとんど大きくすることなくストッパ１７の損傷を防ぐことができる。しかも、ストッパ１７は、外観には現れないので、外観が悪化することもない。
【００２１】
したがって、本実施形態にかかる携帯電話機１によると、ストッパ１７をスライド操作時の衝撃を和らげると共に、損傷しにくいものとすることができる。
【００２２】
（その他の実施形態）
本発明は、上記実施形態について、以下のような構成としてもよい。
【００２３】
すなわち、上記実施形態では、ストッパ１７の断面を左右から見て断面円弧状のものとしたが、先の丸まった三角形などの断面形状としてもよい。要は、スライダ１５のスライド方向端部１５ａが最初に最も剛性の高い部分に当接するようにスライダ１５側へ膨出させるとよい。
【００２４】
また、ストッパ１７をレール１４の上端に設け、開き操作時（スライド方向が上向き時）の衝撃を緩和するようにしたが、レール１４の下端に設けて閉じ操作時（スライド方向が下向き時）の衝撃を緩和するようにしてもよい。
【００２５】
さらに、ストッパ１７は、レール１４側に設けたが、スライダ１５側に設けてもよい。この場合には、レール１４側のスライダ１５側の端部を平坦な形状とし、この端部がストッパの最も剛性の高い（肉厚の大きい）部分に当接するようにスライダ１５側のストッパ１７を上方へ膨出させるとよい。
【００２６】
上記実施形態では、携帯端末は、スライド式の携帯電話機１としたが、スライド式のものであれば、ＰＨＳ（Personal Handy-phone System ）、ＰＤＡ(Personal Digital Assistant)、スマートフォン、パソコン、モバイルツール、電子辞書、電卓、ゲーム機等であってもよい。
【００２７】
なお、以上の実施形態は、本質的に好ましい例示であって、本発明、その適用物や用途の範囲を制限することを意図するものではない。
【産業上の利用可能性】
【００２８】
以上説明したように、本発明は、第１の筐体と第２の筐体とがスライド機構によって互いにスライド可能に連結された携帯電話機などの携帯端末について有用である。
【符号の説明】
【００２９】
１      携帯電話機（携帯端末）
２      表示部
３      第１の筐体
３ａ    表示部収容部
４      第２の筐体
４ａ    正面側キャビネット
４ｂ    背面側キャビネット
５      リアカバー
７      操作部
１０      スライド機構
１１      板金プレート
１２      両面テープ
１３      ベースプレート
１４      レール
１５      スライダ
１５ａ    スライド方向端部
１６      係合部
１６ａ    摺動部材
１７      ストッパ
１７ａ    方向中央部
１９      バネ部材
５０      ビス
【図１】
2014022892.tif 000003
【図２】
2014022892.tif 000004
【図３】
2014022892.tif 000005
【図４】
2014022892.tif 000006
【図５】
2014022892.tif 000007
【図６】
2014022892.tif 000008
【図７】
2014022892.tif 000009
【図８】
2014022892.tif 000010
【図９】
2014022892.tif 000011